(57)【要約】  【課題】一つのシールドケース５内にノイズを放射する部品２と第１のコネクタ４aを収容した場合に設けられるシールドケース５の穴部を塞ぐ手段として、導電テープ等新たな部材を追加することなく、十分な遮蔽性能を与えるシールド構造を提供する。  【解決手段】第１の基板１、当該第１の基板上に配置されるノイズを放射する第１の部品２、ノイズの影響を受ける第２の部品３、第１のコネクタ４a、第２のコネクタ４b、シールドケース５とからなるシールド構造において、第２のコネクタ４bが配置される第２の基板６上に設けられている第１のグランド用電極配線８をシールドケース５の穴部９の外側領域と電気的に接続させる。【選択図】図１
2010080691.tif 000002
【特許請求の範囲】
【請求項１】
第１の基板と、
前記第１の基板に配置され、ノイズを放射する第１の部品及び当該ノイズの影響を受ける第２の部品と、
前記第１の基板に搭載された第１のコネクタと、
前記第１のコネクタに嵌合される第２のコネクタと、
前記第２のコネクタが搭載される第２の基板と、
前記第２の基板に形成される第１のグランド用電極配線と、
前記第１の基板に搭載されると共に、前記第１の部品及び前記第１のコネクタを覆うシールドケースと、
を備えるシールド構造において、
前記シールドケースは前記第１のコネクタと前記第２のコネクタとが嵌合させるための穴部を有し、
前記第１のコネクタと前記第２のコネクタとが嵌合された際に、前記第１のグランド用電極配線が前記シールドケースの前記穴部の外側領域に電気的に接続されることを特徴とするシールド構造。
【請求項２】
前記第１の基板には第２のグランド用電極配線が形成され、前記第１のグランド用電極配線と当該第２のグランド用電極配線とが前記シールドケースを介して電気的に接続されることを特徴とする請求項1記載のシールド構造。
【請求項３】
前記第１のグランド用電極配線が、前記第２のコネクタを取り囲むようにして設けられていることを特徴とする請求項１又は２記載のシールド構造。
【請求項４】
前記第２の基板には前記第２のコネクタに接続された電極配線が配置され、当該電極配線が形成された領域を除いて、前記第１のグランド用電極配線が前記第２のコネクタの周囲を取り囲むようにして設けられていることを特徴とする請求項１又は２記載のシールド構造。
【請求項５】
請求項1記載のシールド構造と、該シールド構造を内部に収容する筐体１２と、
を備える電子機器において、
前記筐体１２は、その内部であって前記第１のグランド用電極配線を介してシールドケースの穴部の外周領域と対向する位置に、リブを備え、当該リブが前記第２の基板と当接可能とすることを特徴とする請求項１乃至４記載の電子機器。
【発明の詳細な説明】
【技術分野】
【０００１】
本発明は携帯電話機等の電子機器に使用されるシールド構造に関し、特に内部にコネクタを有するシールド構造において、ノイズの放射を低減するための技術に関する。
【背景技術】
【０００２】
近年、携帯電話等の電子機器においては、その高機能化によりノイズ放射源となる部品が数多く実装されるようになっている。これに伴いアンテナ等の無線性能や制御機能を維持するために、ノイズの放射源となる部品からのノイズ放射を低減させる遮蔽技術が重要となってきている。一般的にノイズ放射を低減させるためには基板上に配置されるノイズの放射源となる部品をシールドケースにより覆うことが行われる。
また、ノイズの放射源となる部品の近傍にコネクタが配置されている場合には、近時の小型化の要請から、ノイズの放射源となる部品と共にコネクタが、一つのシールドケースの内部に配置されるようになってきている。
【０００３】
図６は、一つのシールドケースの内部にノイズを放射する部品と共にコネクタを配置した例を示す断面図である。
同図において、１は各種電子部品を搭載するための母材となる第１の基板である。２は第１の基板１上に搭載され、ノイズを放射する部品であり、３は第１の基板１上に搭載され、ノイズの影響を受ける部品である。４aはノイズを放射する部品２の近傍に配置されている第１のコネクタ、４bは第１のコネクタに嵌合される第２のコネクタである。６は第２のコネクタを搭載する第２の基板である。７は第２のコネクタ４bに接続される電極配線である。５は、ノイズを放射する部品２と第１のコネクタ４aとを内部に収容するシールドケースである。そして、このように、一つのシールドケース５の内部に、ノイズを放射する部品２と第１のコネクタ４aを収容した場合には、コネクタ同士を嵌合させるために、シールドケース５の上部に穴部９を設ける必要がある。
【発明の開示】
【発明が解決しようとする課題】
【０００４】
しかしながら、図６に示すようにシールドケース５に穴部９を設けた場合、その穴部９からノイズが漏れ出てしまい、ノイズの影響を受ける部品３が正確に動作しなくなることが懸念される。具体的には、シールドケースの近傍にアンテナが配置されていた場合に、上記ノイズによるアンテナの無線性能の劣化が懸念される。
【０００５】
かかる問題を解決するために、図７に示すように、第２のコネクタ４bに接続される電極配線７をシールドケース５の内部から穴部９を通して外部に引き出した後に、導電テープ１３等のシールド部材により穴部９を被覆することが行われる。これにより、穴部９からのノイズ放射を低減している。
【０００６】
しかし、この構造の場合は、導電テープ１３等新たなシールド部材を用いることによる部材追加やコストアップを招来してしまう。
【０００７】
本発明は、上記課題に鑑みてなされたものであり、導電テープを必要とすることなく、ノイズに対する十分な遮蔽性能を満足するシールド構造を提供することを目的とする。
【課題を解決するための手段】
【０００８】
本発明は、上述の課題を解決するために、第１の基板と、前記第１の基板に配置され、ノイズを放射する第１の部品及び当該ノイズの影響を受ける第２の部品と、前記第１の基板に搭載された第１のコネクタと、前記第１のコネクタに嵌合される第２のコネクタと、前記第２のコネクタが搭載される第２の基板と、前記第２の基板に形成される第１のグランド用電極配線と、前記第１の基板に搭載されると共に、前記第１の部品及び前記第１のコネクタを覆うシールドケースと、を備えるシールド構造において、前記シールドケースが、前記第１のコネクタと前記第２のコネクタとが嵌合させるための穴部を有し、前記第１のコネクタと前記第２のコネクタとが嵌合された際に、前記第１のグランド用電極配線が前記シールドケースの前記穴部の外側領域に電気的に接続される。
【発明の効果】
【０００９】
以上詳細に説明したように、本発明にかかるシールド構造によれば、ノイズに対する十分な遮蔽性能を満足するシールド構造を提供するという優れた効果を有する。
【発明を実施するための最良の形態】
【００１０】
まず、第１の実施例について図面を用いて説明する。
図１は本発明に係るシールド構造の概略構成を示す断面図である。図２は本発明の第１の実施例にかかるコネクタ同士が嵌合される際の正面から見た分解斜視図、図３は同実施例におけるコネクタ同士が嵌合される際の横面から見た斜視図である。
本発明に係るシールド構造は、主に第１の基板１、第１の基板１上に配置されるノイズを放射する第１の部品２（以下、「ノイズを放射する部品２」という。）、ノイズの影響を受ける第２の部品３（以下、「ノイズの影響を受ける部品３」という。）、第１のコネクタ４a、第２のコネクタ４b、シールドケース５から構成される。
＜第１の基板＞
第１の基板１は絶縁性の部材から構成され、各種電子部品等を支持するための母材となる。また第１の基板１の表面や内部には、例えば銅箔やITO、アルミニウム等からなる第２のグランド用電極配線１０や、信号或いは電源用の電極配線等が形成され、これらは接続部を除き、カバーフィルム等の絶縁性被覆部材により被覆されている。第２のグランド用電極配線１０や、信号或いは電源用の電極配線等は、従来周知の薄膜技術等により所定のパターンに形成されている。
＜電子部品＞
また、第１の基板１上には各種電子部品やコネクタを搭載するための搭載領域が設けられている。各種電子部品としては、ノイズを放射する部品２、ノイズの影響を受ける部品３、送信用回路部品、受信用回路部品をはじめとした様々な機能を有する電子部品等がある。また、ノイズを放射する部品２としては、電源回路、ベースバンド回路、ＬＣＤ回路、水晶発振子のようにスイッチング信号及びクロック信号やデータ信号を扱う部品が一例としてあげられる。また、ノイズの影響を受ける部品３としては、アンテナ、受信回路が搭載される電子部品など微弱な信号を扱う部品が一例としてあげられる。
＜第１のコネクタ＞
第１の基板１上に搭載される第１のコネクタ４aは、後述する第２のコネクタ４ｂと嵌合される。第１のコネクタ４aは、ノイズを放射する部品２とともに、後述するシールドケースの内部に収容される。
＜シールドケース＞
シールドケース５は、凹部を有すると共に、この凹部に第１のコネクタ４aやノイズを放射する部品２等を収容可能としている。そして、シールドケース５は、ノイズを放射する部品２が発するノイズを凹部内に閉じ込めることで、ノイズの他の電子部品、特にノイズの影響を受ける部品３への影響を低減させる。具体的には、シールドケース５はノイズを放射する部品２とノイズの影響を受ける部品３とを隔絶させるためにノイズを放射する部品２及び第１のコネクタ４aを取り囲むようにして第１の基板１上に配置されている。このようなシールドケース５は、例えば板金加工された金属板からなる。
また、シールドケース５には、第２のコネクタ４bを、第１のコネクタ４aと嵌合させるために、シールドケース５の上部に穴部９が設けられている。この穴部９は、第１のコネクタ４aに、第２のコネクタ４bを嵌合させることが可能な程度の大きさを有していればよく、ノイズが外部に漏れ出にくくするためにできるだけ小さい方が好ましい。
＜第２の基板＞
第１の基板と対向する位置には、第２の基板６が配置される。第２の基板６は、第２のコネクタ搭載領域を備え、第２のコネクタ４ｂおよび電極配線７を支持するための母材となる。また第２の基板６の表面や内部には、例えば銅箔やITO、アルミニウム等からなる第１のグランド用電極配線８や、信号或いは電源用の電極配線７等が形成され、これらは接続部を除き、カバーフィルム等の絶縁性被覆部材により被覆されている。第１のグランド用電極配線８や、信号或いは電源用の電極配線７等は、従来周知の薄膜技術等により所定のパターンに形成されている。
＜第２のコネクタ＞
前述の第１のコネクタ４aと嵌合するための第２のコネクタ４bは、第２の基板６上に搭載され、第２の基板６に形成された信号或いは電源用の電極配線７に接続されている。
＜電極配線と第１のグランド用電極配線＞
電極配線７と第１のグランド配線８は、第２の基板６の同一層上に並行して配置されている。そして、第１のグランド用電極配線８は、電極配線７が形成される領域を除いて、第２のコネクタ４bと電極配線７との接続部を取り囲むようにして形成されている。
この接続部は、例えば第２のコネクタ４bの一つの辺に沿って形成されている。あるいは、接続部は、二つの辺に沿って形成されていてもよい。
また、第１のグランド用電極配線８は、第２のコネクタ４bに接続される電極配線７に沿って、電極配線７の両側のそれぞれの領域にて延在されている。
＜シールドケースと第１のグランド用電極配線＞
また、第１のグランド用電極配線８は、コネクタ４ｂの周囲で第１の基板１に搭載されたシールドケース５の穴部の外側領域に電気的に接続される。
【００１１】
第１のグランド用電極配線８のシールドケース５の穴部９の外側領域に対する電気的接続は、第１のグランド用電極配線８のうち、シールドケース５の穴部９の外側領域に接触させる領域のカバーフィルムを剥がして露出させ、該露出した部分を、カバーフィルムの弾性力を利用してシールドケース５の穴部の外側領域に対して当接させることにより行われる。これにより、導電テープ等の新たなシールド部材を追加することなく穴部からのノイズの放射を低減することが可能なシールド構造を提供することが可能となる。
【００１２】
次に、本発明の第２の実施例について図面を用いて説明する。
図４は本発明の第２の実施例にかかるコネクタ同士が嵌合される際の横面から見た斜視図である。
第２の実施例では、第２の基板６上に形成され、第２のコネクタ４bに接続される電極配線７と、第２の基板６上に形成される第１のグランド用電極配線８とが異なる層に形成されている。具体的には、シールドケース５の相対的に第１の基板１から近い層（以下、第１層という）には第１のグランド用電極配線８が形成され、相対的に第１の基板１から遠い層（以下、第２層という）には第２のコネクタ４bに接続される電極配線７が形成される。また両者の間には、絶縁用のフィルムが配されている。そして、第２のコネクタ４ｂ近傍では、第１層の第１のグランド用電極配線８は、第２のコネクタ４ｂが搭載される領域を避けて、その周囲、すなわちシールドケース５の穴部９の外側領域に対応する位置に、前記周囲を取り囲む環状部を含んで形成される。この環状部は、シールドケース５の穴部９の外周領域に電気的に接続されるために、カバーフィルムから露出される。また、第２層に形成される電極配線７は、第２のコネクタ４ｂに接続されるため、第２のコネクタ４ｂとの接続部にかかる部位は、カバーフィルムが剥がされて、金属が露出し、該露出部にコネクタの端子が接続される。そして、この第１のグランド用電極配線８のうち露出させた金属部分とシールドケース５の上部であって穴部９の外側とが電気的に接続される。
【００１３】
この場合、シールドケース５の穴部９の外周領域に接続される環状部が、穴部９の周囲を環状に取り囲んでいることから、効果的にノイズの放射を低減することができる。尚、第１層において第１のグランド用電極配線８を環状にしていなくても、シールドケース５の穴部９の外側領域に第１のグランド用電極配線８を電気的に接続することによってノイズの放射を低減することができることはいうまでもない。
【００１４】
以上、詳述したように、本発明にかかる第１あるいは第２の実施例によれば、シールドケースからのノイズの放射を有効に低減することができる。
【００１５】
尚、本発明は、上記実施例にその適用が限られるものではなく、種々変更が成されてもよいことは言うまでもなく、上述の第１或いは第２の実施例に換えて、以下のようにしてもよい。すなわち、第１の実施例と異なる点として、第２の基板２には、電極配線７と同一の層に設けられた第１のグランド用電極配線８に加え、さらに該同一の層よりも相対的に第１の基板１から遠い層に第３のグランド用電極配線が設けられてもよい。そして、第１のグランド用電極配線８とこの第３のグランド用電極配線とはビアホール等を介して電気的に接続されているとよい。第３のグランド用電極配線は、相対的に第１の基板１から遠い層に形成されているため、電極配線７と第２のコネクタ４ｂとの接続部を含む穴部を被覆することができる。これにより、ノイズの放射を低減させることができる。
【００１６】
また、第１のグランド用電極配線８と第１の基板１上に形成される第２のグランド用電極配線１０が、シールドケース５を介して接続されているようにしてもよい。
かかる構成によれば、シールドケース５を介して互いの第１の基板１，第２の基板６間のグランド用電極配線同士を接続させることができ、第１のコネクタ４a、第２のコネクタ４bに当該グランド用電極配線同士を電気的に接続させるための接続端子を別途設ける必要がなくなる。尚、シールドケース５を介してグランド用電極配線同士を接続させることに加えて、第１のコネクタ４a、第２のコネクタ４bの接続端子を介して両グランド用電極配線同士を接続する場合は、電気的に並列な回路が形成できるため、耐電圧性能が向上する。
【００１７】
次に、上述したシールド構造を備えた電子機器について図５を用いて説明する。本発明の一実施例にかかる電子機器は、上記いずれかのシールド構造と、シールド構造を内部に収容する筐体１２と、を備えている。また、筐体１２は、その内部であってグランド用電極配線を介してシールドケース５の穴部９の外周領域と対向する位置に、リブ１１を備え、リブ１１が第２の基板２と当接可能である。ここで、リブ１１は、実際に第２の基板２を押圧していてもよいし、第２の基板がシールドケースから離れる方向に反らないように、軽く当接しているだけでもよい。或いは、第２の基板６が大きく変形した場合にはじめてリブ１１が第２の基板６に当接するようにしてもよい。また、リブ１１の形状は図５で図示されるものに限られず、第２の基板の全部に当接するようにしていてもよいし、その一部に当接するようにしてもよい。
かかる電子機器によれば、リブ１１と第２の基板６とを当接可能とすることによって、第１のグランド用電極配線８とシールドケース５との電気的な接続状態を安定的に保持することができる。
【図面の簡単な説明】
【００１８】
【図１】本発明に係るシールド構造の概略構成を示す断面図である。
【図２】本発明の第１の実施例にかかるコネクタ同士が嵌合される際の正面から見た分解斜視図である。
【図３】本発明の第１の実施例におけるコネクタ同士が嵌合される際の横面から見た斜視図である。
【図４】本発明の第２の実施例にかかるコネクタ同士が嵌合される際の横面から見た斜視図である。
【図５】本発明に係るシールド構造を有する電子機器のうちシールド構造の概略構成を示す断面図である。
【図６】従来のシールド構造の概略構成を示す断面図１である。
【図７】従来のシールド構造の概略構成を示す断面図２である。
【符号の説明】
【００１９】
１：第１の基板
２：ノイズを放射する第１の部品
３：ノイズの影響を受ける第２の部品
４a：第１のコネクタ
４b：第２のコネクタ
５：シールドケース
６：第２の基板
７：電極配線 
８：第１のグランド用電極配線
９：穴部
１０：第２のグランド用電極配線
１１：リブ
１２：筐体１２
１３：導電テープ 
【図１】
2010080691.tif 000003
【図２】
2010080691.tif 000004
【図３】
2010080691.tif 000005
【図４】
2010080691.tif 000006
【図５】
2010080691.tif 000007
【図６】
2010080691.tif 000008
【図７】
2010080691.tif 000009